(57)【要約】  【課題】          従来のシートペーパーは便座上をすべり落ちたりあるいはずれることが多く、便座と人体が直接触れることが多かった。中央部には人体至近の状態で便などが付着しやすく、便器の洗浄ノズルの吐出口を遮り易い形状であった。  【解決手段】          本体１上に設ける切断部２が便器内に垂れ下がる。このとき切断線２´上に断        続的に設ける非切断部３は切断しないので、切断部２は便器内で逆Uの字状に垂れ下がる。これと切断部エッジ４により本体１が便器からすべり落ちたりあるいはずれることを、上下左右方向について抑制する。          着座すると本体１が便座に固定されるとともに非切断部３が破断するため、切断部２は人体から遠ざかる。非切断部３は他の部位よりも容易に破断することにより他の部位の破断を抑制できる。          材料を単一にでき、構造が簡単で安価なシートペーパーとなる。  【選択図】  図２
2009022572.tif 000002
【特許請求の範囲】
【請求項１】
便座上の配置を保持する補強形状となる切断部をもつことを特徴とするシー          トペーパー。
【請求項２】
人体、あるいは便器の機能構造などにあわせた形状の切断部をもつことを特          徴とするシートペーパー。
【請求項３】
破断容易な非切断部を設けることで、他の部位の破断を抑制しかつ使用時に          は非切断部の破断により切断部が人体から遠ざかることを特徴とするシート            ペーパー。
【請求項４】
上記請求項２、請求項３、請求項４のいずれかあるいは複数項を単一の材料          で実現する、構造が簡単で安価なシートペーパー。
【発明の詳細な説明】
【技術分野】
【０００１】
本発明は、便座に使用するシートペーパーに関する。
【背景技術】
【０００２】
便座と人体の接触を防止するために使用するシートペーパーは、便座上でずれ        なく配置した状態で最大の効果を発揮するものである。
【０００３】
当該シートペーパーは、便座面上で不均等の配置状態となると同位置に留まら
ず、便座上の曲面をすべり落ちたりあるいはずれることが多い。これにより使用        時には便座と人体、あるいは便座に付着した液体などと人体が直接触れることが        あり、本来の目的が達成されないことが多かった。また便器内に垂れ下げる切断        部が中央に配置されているシートペーパーについては、この切断形状も便座上で        の重量配分を不均等とする要因となっており、便座からすべり落ちたりずれる原        因となっていた。これらの要因は、シートペーパーの配置時間を要する原因でも        あり一考の余地があった。
【０００４】
当該シートペーパーの中央部は、使用時に人体至近の状態で便などが付着しや        すく、さらに便器の洗浄ノズルの吐出口を遮る形状・配置となり、本来の目的が        達成されなかったりあるいは便器の機能を阻害する要因があり一考の余地があっ        た。
【０００５】
便座に配置されたシートペーパーに着座すると便座面に接する部位などが破断        しやすいなど、本来の目的が達成されないことが多かった。
【０００６】
当該シートペーパーの機能達成のためには、複数種の材料、あるいは製造工程        を要し、これらは使い捨て用途でありながら高価となる要因となり一考の余地が        あった。
【０００７】
なお、本願発明に関連する公知技術として次の特許文献を挙げることができ          る。
【実用新案文献】
【０００８】
特許公開平11-19002
シートペーパーに、本体とは別材料の粘着材を構成させるなどにより、すべり        落ちたりずれたりすることを防止する公知技術である。本発明のように形状によ        る特性を利用した公知技術、または単一材料構造を目的とする公知技術はなかっ        た。
【発明の開示】
【発明が解決しようとする課題】
【０００９】
従来技術に関わるシートペーパーは、便座面上で不均等の配置状態となると同
位置に留まらず、便座上の曲面をすべり落ちたりあるいはずれることが多い。こ        れにより使用時には便座と人体、あるいは便座に付着した液体などと人体が直接        触れることがあり、本来の目的が達成されないことが多かった。また便器内に垂        れ下げる切断部が中央に配置されているシートペーパーについては、この切断形        状も便座上での重量配分を不均等とする要因となっており、便座からすべり落ち        たりずれる原因となっていた。これらの要因は、シートペーパーの配置時間を要        する原因でもあり一考の余地があった。
【００１０】
当該シートペーパーの中央部は、使用時に人体至近の状態で便などが付着しや        すく、さらに便器の洗浄ノズルの吐出口を遮る形状・配置となり、本来の目的が        達成されなかったりあるいは便器の機能を阻害する要因があり一考の余地があっ        た。
【００１１】
便座に配置されたシートペーパーに着座すると便座面に接する部位などが破断        しやすいなど、本来の目的が達成されないことが多かった。
【００１２】
当該シートペーパーの機能達成のためには、複数種の材料、あるいは製造工程        を要し、これらは使い捨て用途でありながら高価となる要因があり一考の余地が        あった。
【００１３】
以上のように従来技術は、便座と人体、あるいは便座に付着した液体などと人
体を直接接触させないシートペーパー本来の目的が達成されないことが多かっ          た。また、このような状況を利用者は意識しており、外出したときなどにトイレ        を利用することを躊躇する原因となり一考の余地があった。
【００１４】
本発明は、このような状況を鑑みて考案したものであり、その目的はシート          ペーパーを便座に配置させやすくしかもずれにくくし、更に便器の機能の阻害を        抑制し、構造が簡単、安価で、清潔感、安心感の向上を得られるシートペーパー        を考案したものである。
【課題を解決するための手段】
【００１５】
以上の目的を達成する本発明のシートペーパーは、図1、図2のように本体１上        に設ける切断部２が便器内に垂れ下がる形状とする。
【００１６】
シートペーパー配置時に切断部２が便器内に垂れ下がったときでも、切断線２        ´上に断続的に設ける例えば２箇所の非切断部３は離脱しないので、図2のよう        に切断部２は便器内で逆Ｕ字状に垂れ下がり補強構造となる。これによりシート        ペーパーは左右両端（短手400方向）に広げられる形状で固持され、しかも切断        部２は便器内に配置しているので、切断部エッジ４が便器の縁と接触することで        シートペーパーがすべり落ちたりあるいはずれることを抑制する。
【００１７】
切断部２の形状は、図1、図2のように人体あるいは便器の洗浄ノズル吐出口の        配置など機能構造にあわせ、便あるいは吐出液体の通路穴となる。
【００１８】
便座に配置したシートペーパーに着座すると、重量でシートペーパーが便座に        密着固定されるとともにたとえば2箇所の非切断部３のうち1箇所あるいは複数箇        所が破断する。これにより便器内に垂れ下がっている切断部２は人体から遠ざか        る。非切断部３は他の部位よりも容易に破断する。（寸法例は図参照）
【発明の効果】
【００１９】
以上説明したように本発明によれば、シートペーパーが便座からすべり落ちた
りあるいはずれることを抑制できるため、便座と人体、あるいは便座に付着した        液体などと人体が接触することを抑制できる。これによりシートペーパーの配置        時間も短縮できる。
【００２０】
切断部２の便の付着を抑制するとともに、便器の洗浄装置など機能構造の阻害
を抑制できる。
【００２１】
非切断部３以外の部位の破断を抑制でき、着座時には切断部２が人体から遠ざ
かるため、切断部２に付着した便あるいは液体などと人体の接触を抑制できる。
【００２２】
材料を単一、構造を簡略にできるため、安価とすることができる。
【００２３】
以上に加え水溶性をもつことで使用後は下水に流すことができ、使用時の清潔        感、安心感の向上を得られ、外出先でトイレを利用することに対する抵抗をな          くす効果がある。
【発明を実施するための最良の形態】
【００２４】
以下本発明の一実施例を、図面に基づき説明する。
【００２５】
図１は、本発明の形状図である。
【００２６】
図２は、便座配置時の形状図である。
【００２７】
水溶紙の材料の一例としてはパルプ、澱粉を基材とするものを選択する。この        ため、下水に流しても環境に影響のないシートペーパーとなる。
【００２８】
図１記載の各部参考寸法で試作することにより、本発明がより効果的に実現で        きた。
【００２９】
以上、本発明の実施の形態および実施例を説明したが、本発明の範囲はこれに        限定されるものではない。たとえば材料の変更、本体１、切断部２あるいは非切        断部３の形状、寸法、位置、箇所数などの変更は状況に応じて適宜選択されるも        のである。
また材料本体は紙材であることから、模様、広告などの印刷を施したり芳香          剤、抗菌剤を含有することも産業効果などを期待できるものである。
【図面の簡単な説明】
【００３０】
【図１】形状図。各寸法は参考であり、数値は状況に応じて適宜選択されるものであ          る。
【図２】便座配置時形状図
【符号の説明】
【００３１】
１    本体
２    切断部
２´  切断線
３    非切断部
４    切断部エッジ
【図１】
2009022572.tif 000003
【図２】
2009022572.tif 000004
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
便座配置時の、使用者による折り曲げなどの形状調整などが不要で、便座上の配置を保持する補強構造およびエッジ、ガード形状となる切断部をもつことを特徴とするシートペーパー。
【請求項２】
人体、あるいは便器の機能構造などにあわせた形状の切断部をもつことを特徴とするシートペーパー。
【請求項３】
破断容易な非切断部を設けることで、他の部位の破断を抑制しかつ使用時には非切断部の破断により切断部が人体から遠ざかることを特徴とするシートペーパー。
【請求項４】
上記請求項２、請求項３、請求項４のいずれかあるいは複数項を単一の材料で実現する、構造が簡単で安価なシートペーパー。
【手続補正２】
【補正対象書類名】明細書
【補正対象項目名】全文
【補正方法】変更
【補正の内容】
【発明の詳細な説明】
【技術分野】
【０００１】
本発明は、便座に使用するシートペーパーに関する。
【背景技術】
【０００２】
便座と人体の接触を防止するために使用するシートペーパーは、便座上でずれなく配置した状態で最大の効果を発揮するものである。
【０００３】
当該シートペーパーは、便座面上で不均等の配置状態となると同位置に留まら
ず、便座上の曲面をすべり落ちたりあるいはずれることが多い。これにより使用時には便座と人体、あるいは便座に付着した液体などと人体が直接触れることがあり、本来の目的が達成されないことが多かった。また便器内に垂れ下げる切断部が中央に配置されているシートペーパーについては、この切断形状も便座上での重量配分を不均等とする要因となっており、便座からすべり落ちたりずれる原因となっていた。これらの要因は、シートペーパーの配置時間を要する原因でもあり一考の余地があった。
【０００４】
当該シートペーパーの中央部は、使用時に人体至近の状態で便などが付着しやすく、さらに便器の洗浄ノズルの吐出口を遮る形状・配置となり、本来の目的が達成されなかったりあるいは便器の機能を阻害する要因があり一考の余地があった。
【０００５】
便座に配置されたシートペーパーに着座すると、重量による負荷で便座面に接する部位などが破断しやすいなど、本来の目的が達成されないことが多かった。
【０００６】
当該シートペーパーの機能達成のためには、複数種の材料、あるいは製造工程を要し、これらは使い捨て用途でありながら高価となる要因となり一考の余地があった。
【０００７】
なお、本願発明に関連する公知技術として次の特許文献、実用新案文献を挙げることができる。
【０００８】
【特許文献１】特開平11-19002
【発明の開示】
【発明が解決しようとする課題】
【０００９】
従来技術に関わるシートペーパーは、便座面上で不均等の配置状態となると同
位置に留まらず、便座上の曲面をすべり落ちたりあるいはずれることが多い。これにより使用時には便座と人体、あるいは便座に付着した液体などと人体が直接触れることがあり、本来の目的が達成されないことが多かった。また便器内に垂れ下げる切断部が中央に配置されているシートペーパーについては、この切断形状も便座上での重量配分を不均等とする要因となっており、便座からすべり落ちたりずれる原因となっていた。これらの要因は、シートペーパーの配置時間を要する原因でもあり一考の余地があった。
【００１０】
当該シートペーパーの中央部は、使用時に人体至近の状態で便などが付着しやすく、さらに便器の洗浄ノズルの吐出口を遮る形状・配置となり、本来の目的が達成されなかったりあるいは便器の機能を阻害する要因があり一考の余地があった。
【００１１】
便座に配置されたシートペーパーに着座すると、重量による負荷で便座面に接する部位などが破断しやすいなど、本来の目的が達成されないことが多かった。
【００１２】
当該シートペーパーの機能達成のためには、複数種の材料、あるいは製造工程を要し、これらは使い捨て用途でありながら高価となる要因があり一考の余地があった。
【００１３】
以上のように従来技術は、便座と人体、あるいは便座に付着した液体などと人
体を直接接触させないシートペーパー本来の目的が達成されないことが多かった。また、このような状況を利用者は意識しており、外出したときなどにトイレを利用することを躊躇する原因となり一考の余地があった。
【００１４】
このほか従来技術または公知技術の課題として、以下に列記する内容が挙げら
れる。
・シートに切断部（分割部）を複数設けて、機能を達成する。
・使用時に便座の一部にシートを被せず、便座上の配置保持形状に使用する。
・使用者が便座配置時にシートの形状を最適形状に調整することにより、機能
達成を図る。
・シートの面積を広くすることにより、機能達成を図る。
・粘着材の併用が好ましい。
【００１５】
本発明は、このような状況を鑑みて考案したものであり、その目的はシートペーパーを便座に配置しやすくしかもずれにくくし、更に便器の機能の阻害を抑制し、構造が簡単、安価で、清潔感、安心感の向上を得られるシートペーパーを考案したものである。
【課題を解決するための手段】
【００１６】
以上の目的を達成する本発明のシートペーパーは、図1、図2のように本体１上に設ける切断部２が便器内に垂れ下がる形状とする。
【００１７】
シートペーパー配置時に切断部２が便器内に垂れ下がったときでも、切断線２´上に断続的に設ける例えば２箇所の非切断部３は離脱しないので、図2のように切断部２は、使用者がシートペーパーを折り曲げるなど形状調整しなくても、重力により便器内で逆Ｕ字状に垂れ下がり補強フレーム構造となる。これによりシートペーパーは左右両端（短手400方向）に広げられる形状で固持され、しかも切断部２は便器内に配置しているので、切断部エッジ４が左右（短手400方向）で便器の縁と接触し、切断部２が上下（長手500方向）で便器の縁と接触することでシートペーパーがすべり落ちたりあるいはずれることを抑制する。
【００１８】
切断部２の形状は、図1、図2のように人体あるいは便器の洗浄ノズル吐出口の配置など機能構造にあわせ、便あるいは吐出液体の通路穴となる。
【００１９】
便座に配置したシートペーパーに着座すると、重量でシートペーパーが便座に密着固定されるとともにたとえば2箇所の非切断部３のうち1箇所あるいは複数箇所が破断する。これにより便器内に垂れ下がっている切断部２は、重力で更に人体から遠ざかる。非切断部３はその形状・寸法から、他の部位よりも容易に破断する。（形状・寸法例は図参照）
【発明の効果】
【００２０】
以上説明したように本発明によれば、シートペーパーが便座からすべり落ちた
りあるいはずれることを上下（長手500方向）左右（短手400方向）について抑制できるため、便座と人体、あるいは便座に付着した液体などと人体が接触することを抑制できる。これによりシートペーパーの配置時間も短縮できる。
【００２１】
切断部２の便の付着を抑制するとともに、便器の洗浄装置など機能構造の阻害
を抑制できる。
【００２２】
非切断部３以外の部位の破断を抑制でき、着座時には切断部２が人体から遠ざ
かるため、切断部２に付着した便あるいは液体などと人体の接触を抑制できる。
【００２３】
材料を単一、構造を簡略にできるため、安価とすることができる。
【００２４】
このほか従来技術または公知技術に対し、以下に列記する効果がある。
・切断線２´はわずか2箇所であることにより、本シートペーパーを携帯用途で折りたたんであっても、使用時など広げたときに切断部同士が干渉して本体上の一部が破断してしまうことを抑制できる。
・使用時（着座時）に便座の全周をシートペーパーで覆うことができる。
・裏／表・左／右・上／下それぞれ対象形状にできるため、使用に際して制限が少ない。
・使用方法はシートペーパーを便座に配置するのみであり、使用者がシートペーパーを折り曲げるなど、最適形状に整える作業は不要である。
・図1例の長方形形状の本体１の4角は、使用者が便座に手を触れずにシートペーパーをつかんで配置、および処理できるスペースが確保されている。
・シートペーパー全体の面積は必要最小限である。
・便器内に垂れ下がる切断部２の垂直方向高さは、非切断部３の位置調整により便器底との接触を抑制できるような寸法にできるなど、設計自由度が大きい。
・粘着材の使用などシートペーパーの形状技術以外の手段を併用しなくても、切り欠き部２の補強構造およびエッジにより、便器内でシートペーパーを上下（長手500方向）左右（短手400方向）に固定できる。
【００２５】
以上に加え水溶性をもつことで使用後は下水に流すことができ、使用時の清潔感、安心感の向上を得られ、外出先でトイレを利用することに対する抵抗をなく
す効果がある。
【発明を実施するための最良の形態】
【００２６】
以下本発明の一実施例を、図面に基づき説明する。
【００２７】
図１は、本発明の形状図である。
【００２８】
図２は、便座配置時の形状図である。
【００２９】
水溶紙の材料の一例としてはパルプ、澱粉を基材とするものを選択する。このため、下水に流しても環境に影響のないシートペーパーとなる。
【００３０】
図１記載の各部参考寸法で試作することにより、本発明がより効果的に実現できた。
【００３１】
以上、本発明の実施の形態および実施例を説明したが、本発明の範囲はこれに限定されるものではない。たとえば材料の変更、本体１、切断部２あるいは非切断部３の形状・寸法・位置・箇所数などの変更、非切断部に切り取りミシン線の設置、未使用時に切断部２全体を本体１に追従させるため非切断部３の数を増やすことなどは状況に応じて適宜選択されるものである。
【図面の簡単な説明】
【００３２】
【図１】形状図。各寸法は参考であり、数値は状況に応じて適宜選択されるものである。
【図２】便座配置時形状図
【符号の説明】
【００３３】
１    本体
２    切断部
２´  切断線
３    非切断部
４    切断部エッジ
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
便座配置時に、シートの形状を折り曲げたり変形させるなどの作業が不要            で、便座上の配置を保持する補強構造およびエッジ、ガード形状となる切断部          をもつことを特徴とするシートペーパー。
【請求項２】
人体、あるいは便器の機能構造などにあわせた形状の切断部をもつことを特          徴とするシートペーパー。
【請求項３】
破断容易な非切断部を設けることで、他の部位の破断を抑制しかつ使用時に          は非切断部の破断により切断部が人体から遠ざかることを特徴とするシートペ          ーパー。
【請求項４】
上記請求項１、請求項２、請求項３のいずれかあるいは複数項を単一の材料          で実現する、構造が簡単で安価なシートペーパー。
【手続補正２】
【補正対象書類名】明細書
【補正対象項目名】全文
【補正方法】変更
【補正の内容】
【発明の詳細な説明】
【技術分野】
【０００１】          本発明は、便座に使用するシートペーパーに関する。
【背景技術】
【０００２】          便座と人体の接触を防止するために使用するシートペーパーは、便座上でずれ        なく配置した状態で最大の効果を発揮するものである。【０００３】          当該シートペーパーは、便座面上で不均等の配置状態となると同位置に留まら        ず、便座上の曲面をすべり落ちたりあるいはずれることが多い。これにより使用        時には便座と人体、あるいは便座に付着した液体などと人体が直接触れることが        あり、本来の目的が達成されないことが多かった。また便器内に垂れ下げる切断        部が中央に配置されているシートペーパーについては、この切断形状も便座上で        の重量配分を不均等とする要因となっており、便座からすべり落ちたりずれる原        因となっていた。これらの要因は、シートペーパーの配置時間を要する原因でも        あった。【０００４】          当該シートペーパーの中央部は、使用時に人体至近の状態で便などが付着しや        すく、さらに便器の洗浄ノズルの吐出口を遮る形状・配置となり、本来の目的が        達成されなかったりあるいは便器の機能を阻害する要因があった。【０００５】          便座に配置されたシートペーパーに着座すると、重量による負荷で便座面に接        する部位などが破断しやすいなど、本来の目的が達成されないことが多かった。【０００６】          当該シートペーパーの機能達成のためには、粘着材を併用するなど複数種の材        料、あるいは製造工程を要し、これらは使い捨て用途でありながら高価となる要        因であった。【０００７】          なお、本願発明に関連する公知技術として次の特許文献を挙げることができ        る。【０００８】
【特許文献１】特開平11-19002
【発明の開示】
【発明が解決しようとする課題】
【０００９】          従来技術に関わるシートペーパーは、便座面上で不均等の配置状態となると同        位置に留まらず、便座上の曲面をすべり落ちたりあるいはずれることが多い。こ        れにより使用時には便座と人体、あるいは便座に付着した液体などと人体が直接        触れることがあり、本来の目的が達成されないことが多かった。また便器内に垂        れ下げる切断部が中央に配置されているシートペーパーについては、この切断形        状も便座上での重量配分を不均等とする要因となっており、便座からすべり落ち        たりずれる原因となっていた。これらの要因は、シートペーパーの配置時間を要        する原因でもあった。【００１０】          当該シートペーパーの中央部は、使用時に人体至近の状態で便などが付着しや        すく、さらに便器の洗浄ノズルの吐出口を遮る形状・配置となり、本来の目的が        達成されなかったりあるいは便器の機能を阻害する要因があった。【００１１】          便座に配置されたシートペーパーに着座すると、重量による負荷で便座面に接        する部位などが破断しやすいなど、本来の目的が達成されないことが多かった。【００１２】          当該シートペーパーの機能達成のためには、粘着材を併用するなど複数種の材        料、あるいは製造工程を要し、これらは使い捨て用途でありながら高価となる要        因があった。【００１３】          以上のように従来技術は、便座と人体、あるいは便座に付着した液体などと人        体を直接接触させないシートペーパー本来の目的が達成されないことが多かっ        た。        また、利用者はこのような状況を把握しており、外出したときなどにトイレを利        用することを躊躇させる要因でもあった。【００１４】          このほか従来技術または公知技術の特徴として、以下に列記する内容が挙げら        れる。          ・シートに切断部（分割部）を複数設け、使用者が便座上などで変形させて機            能を達成する。（シートの一部を変形することで当該便座面部位にはシート            を被せず、シート全体の便座上での保持に利用する。）          ・使用者が便座配置時に、シートの形状を折り曲げたり変形させるなどによ            り、機能達成を図る。          ・シートの面積を広くすることにより、機能達成を図る。          ・粘着材を併用し、機能達成を図る。【００１５】          本発明は、このような状況を鑑みて考案したものであり、その目的はシートペ        ーパーを便座に配置しやすくしかもずれにくくし、更に便器の機能阻害を抑制        し、構造が簡単、安価で、清潔感、安心感の向上を得られるシートペーパーを考        案したものである。
【課題を解決するための手段】
【００１６】          以上の目的を達成する本発明のシートペーパーは、図1、図2のように本体１        上に設ける切断部２が便器内に垂れ下がる形状である。【００１７】          シートペーパー配置時に切断部２が便器内に垂れ下がったときでも、切断線        ２´上に断続的に設ける例えば２箇所の非切断部３は離脱しない。          使用者がシートペーパーを折り曲げるなど形状変形しなくても、切断部２は図        2のように重力により便器内で逆Ｕ字状に垂れ下がり、補強フレーム構造とな        る。          これは、シートペーパー自体の形状はほぼ2次元の薄い平面で、その状態では        断面2次モーメントおよび断面係数は小さいが、切断部２が便器内で逆Ｕの字と        なったときには当該切断部２がフランジ形状に変化するため断面2次モーメント        および断面係数が大きくなり、ひずみ、座屈、曲げに対する強度が大きくなるこ        とによる。このフランジ形状は非切断部３ほかの位置・形状・寸法などに依存す        るが、図１例の各部寸法で試作することにより、本シートペーパーを固持するた        めには十分な強度を確保できた。また、使用状況によっては切断部２が理想的な        逆Ｕの字にはならない場合もあるが、そのまま変形させなくても平面でない断面        形状であれば十分に機能達成できる。（図１、２形状のシートペーパーの切断部        ２が、便座上で平面となることは考えにくい。）          これによりシートペーパーは左右両端（短手400方向）に広げられる形状で固        持され、しかも切断部２は便器内に配置しているので、切断部エッジ４が左右        （短手400方向）で便器の縁と接触し、切断部２が上下（長手500方向）で便器の        縁と接触することでシートペーパーがすべり落ちたりあるいはずれることを抑制        する。【００１８】          切断部２は、図1、図2のように人体あるいは便器の洗浄ノズル吐出口の配置        など機能構造を阻害しない形状に開口するので、便あるいは吐出液体の通路を遮        断しない。【００１９】          便座に配置したシートペーパーに着座すると、重量でシートペーパーが便座に        密着固定されるとともにたとえば2箇所の非切断部３のうち1箇所あるいは複数        箇所が破断する。これにより便器内に垂れ下がっている切断部２は、重力で更に        人体から遠ざかる。          また着座の瞬間のプロセスについては、非切断部３が離脱しないまま本体１が        人体の移動に合わせて便座曲面に密着していき、やがて非切断部３が破断するこ        ととなる。これは、接合部寸法を数ミリ程度として他の部位よりも容易に破断す        る非切断部３を設けたことにより、平面であるシートペーパーが曲面である便座        の形状に近づく過程でかかる応力分布を非切断部３に集中させていることによ          る。このとき、もし非切断部３に応力分布が集中せず破断位置が特定されない          と、平面であるシートペーパーと曲面である便座との形状相違により、便座上の        シートペーパー本体１の一部あるいは複数部位が破断してしまい、便座と人体、        あるいは便座に付着した液体などと人体が直接触れることとなり、シートペー        パー本来の機能が達成されない場合がある。          この非切断部３の破断については、図１例の各部寸法で試作することにより良        好な結果となった。
【発明の効果】
【００２０】          以上説明したように本発明によれば、シートペーパーが便座からすべり落ちた        りあるいはずれることを上下（長手500方向）左右（短手400方向）について抑        制できるため、便座と人体、あるいは便座に付着した液体などと人体が接触する        ことを抑制できる。これによりシートペーパーの配置時間も短縮できる。【００２１】          切断部２は便の通路を遮断しない上、便器の洗浄装置など機能構造の阻害を抑        制できる。【００２２】          非切断部３が容易に破断することにより非切断部３以外の部位の破断を抑制        し、着座時には切断部２が人体から遠ざかるため切断部２に付着した便あるいは        液体などと人体の接触を抑制できる。【００２３】          材料を単一、構造を簡略にできるため、安価とすることができる。【００２４】          このほか従来技術または公知技術に対し、以下に列記する効果がある。        ・切断線２´はわずか2箇所であることにより、本シートペーパーを携帯用途          で折りたたんであっても、使用時など広げるときに切断部同士が干渉して本体          上の一部が破断してしまうことを抑制できる。        ・使用時（着座時）に便座（楕円等形状）の全周をシートペーパーで覆うこと          ができる。        ・裏／表・左／右・上／下それぞれ対象形状にできるため、使用に際して制限          が少ない。        ・使用方法はシートペーパーを広げて便座に配置するのみであり、使用者がシ          ートペーパーを折り曲げたり変形させるなどの作業は不要である。        ・図1例の長方形形状の本体１の4角は、使用者が便座に手を触れることなく          シートペーパーをつかんで、配置を微調整できるスペースが確保されている。        ・便器内に垂れ下がる切断部２の垂直方向高さは、非切断部３の位置調整によ          り便器底との接触を抑制できるような寸法にできるなど、設計自由度が大き          い。        ・粘着材の使用などの手段を併用しなくても、切り欠き部２の補強構造およびエ          ッジにより、便器上でシートペーパーを保持できる。【００２５】          以上に加え水溶性をもつことで使用後は下水に流すことができ、使用時の清潔        感、安心感の向上を得られ、外出先でトイレを利用することに対する抵抗を低減        する効果がある。
【発明を実施するための最良の形態】
【００２６】          以下本発明の一実施例を、図面に基づき説明する。【００２７】          図１は、本発明の形状図である。【００２８】          図２は、便座配置時の形状図である。【００２９】          水溶紙の材料の一例としてはパルプ、澱粉を基材とするものを選択する。この        ため、下水に流しても環境に影響のないシートペーパーとなる。また水溶紙の溶        解時間は選択材料に依存するが、繊維間の結合力が適度な材料を選択すること        で、洗浄時の下水詰まり抑制も容易である。【００３０】          図１記載の各部参考寸法で試作することにより、本発明がより効果的に実現で        きた。【００３１】          以上、本発明の実施の形態および実施例を説明したが、本発明の範囲はこれに        限定されるものではない。たとえば材料の変更、本体１、切断部２あるいは非切        断部３の形状・寸法・位置・箇所数などの変更、非切断部に切り取りミシン線の        設置、未使用時に切断部２全体を本体１に追従させるため非切断部３の数を増や        すことなどは状況に応じて適宜選択されるものである。          折り畳み方法によって、携帯用途とすることもできる。          前記0017項の逆Ｕの字は、逆Ｖの字など他の類似する形状でもよい。シート        ペーパーの上下（長手500方向）左右（短手400方向）複合的に折り畳む場合、        各方向について偶数等分（例4等分）では、使用時にシートペーパーを広げると        切断部2の中心位置に折れ目ができ、奇数等分（例3等分）では折れ目を中心位        置から外すことができる。特に切断部2における折れ目は、広げて便座に配置し        たときの前記0017項記載の切断部2フレーム構造強度や、重力による端部の垂        れ下がり傾向などに影響するため、適切な折り畳み方法を選択することで便座上        でのシートペーパー配置状態をより良好にできる。また、折れ目を短手400方向        のみとして長手500方向についてなければ、フレーム構造の効果をより確実に得        られる。          本シートペーパーを使用することにより、温感効果がある。          製法については各種抜き型、断裁手段を適宜選択し、簡単である。
【図面の簡単な説明】
【００３２】
【図１】形状図。各寸法は参考であり、数値は状況に応じて適宜選択されるものであ        る。
【図２】便座配置時形状図
【符号の説明】
【００３３】          １    本体          ２    切断部          ２´  切断線          ３    非切断部          ４    切断部エッジ
【手続補正３】
【補正対象書類名】図面
【補正対象項目名】図１
【補正方法】変更
【補正の内容】
【図１】
2009022572.tif 000005